(57)【要約】【課題】移動端末を用いてリアルタイムで他のパーティーにデータ送信してリーダーズ・ボードの形で互いに表示しあうことが可能なシステムを提供する。【解決手段】インターネットに接続されたサーバと、  インターネットに接続可能な端末とを備え、  前記端末は、  試合の事前情報とゴルフスコア情報を入力可能な入力手段と、  入力された情報をインターネットを介して前記サーバに送信するとともに、前記サーバにおいて確認されたゴルフスコアを受信する送受信手段と、送信されたゴルフスコアをサーバ上で処理したデータを受信して試合中にリーダーズ・ボードとして表示可能な表示手段とを備えるリーダーズ・ボード表示システム。【選択図】図１
2012061282.tif 000002
【特許請求の範囲】
【請求項１】
インターネットに接続されたサーバと、
インターネットに接続可能な端末とを備え、
前記端末は、
事前情報とゴルフスコア情報を入力可能な入力手段と、
入力された情報をインターネットを介して前記サーバに送信するとともに、前記サーバにおいて確認されたゴルフスコアを受信する送受信手段と、
送信されたゴルフスコアをサーバ上で処理してリーダーズ・ボードとして表示可能な表示手段とを備えることを特徴とするリーダーズ・ボード表示システム。
【請求項２】
前記端末が移動通信無線端末である請求項１に記載のリーダーズ・ボード表示システム。
【請求項３】
前記移動通信無線端末が携帯電話であることを特徴とする請求項２に記載のリーダーズ・ボード表示システム。
【発明の詳細な説明】
【技術分野】
【０００１】  本発明はゴルフコンペにおけるリーダーズ・ボードの表示を、携帯電話等を用いて行うシステムに関する。
【背景技術】
【０００２】  ゴルフのスコア記録はスコアカードおよびペンを用いて行うのが一般的である。これを移動端末を用いて行うものとして、例えば特許文献１に記載されたシステムが提案されている。しかし、このシステムでは、メールを用いてラウンド中の他のパーティーにゴルフのスコアを送信するにすぎず、入力されたゴルフのスコアの管理および検索を行うことを目的としたものではない。
一方、特許文献２では携帯電話を用いてゴルフのスコアの管理および検索を行う技術が提案されているが、スコアカードの管理を目的とするものである。単にスコアカードを管理するだけでなく、リアルタイムで他のパーティーにデータ送信してリーダーズ・ボードの形で互いに表示しあい、試合を進めるところの機能は有していない。
【特許文献】
【０００３】
【特許文献１】特開平１０−３０３９７６号公報
【特許文献２】特開２００４−２４６８５８号公報
【発明の概要】
【発明が解決しようとする課題】
【０００４】  本発明は移動端末を用いてリアルタイムで他のパーティーにデータ送信してリーダーズ・ボードの形で互いに表示しあうことが可能なシステムを提供することを課題とする。
【課題を解決するための手段】
【０００５】  上記課題は以下の発明により解決された。
（１）インターネットに接続されたサーバと、
インターネットに接続可能な端末とを備え、
前記端末は、
試合の事前情報とゴルフスコア情報を入力可能な入力手段と、
入力された情報をインターネットを介して前記サーバに送信するとともに、前記サーバにおいて確認されたゴルフスコアを受信する送受信手段と、
送信されたゴルフスコアをサーバ上で処理したデータを受信して試合中にリーダーズ・ボードとして表示可能な表示手段とを備えることを特徴とするリーダーズ・ボード表示システム。
（２）前記端末が移動通信無線端末である（１）に記載のリーダーズ・ボード表示システム。
（３）前記移動通信無線端末が携帯電話であることを特徴とする（２）に記載のリーダーズ・ボード表示システム。
【発明の効果】
【０００６】  本発明によれば、ゴルフの試合中に、すべてのメンバーの状況をリアルタイムでお互いに知ることができる。しかもリーダーズ・ボードの形で表示されるのでわかりやすく現況を把握できる。よって、テレビ中継で示されるような形でスコアをお互いに把握でき、よりゴルフコンペを楽しむことができる。
【図面の簡単な説明】
【０００７】
【図１】本発明におけるシステムのハードウエアの構成の一例を示す説明図である。
【図２】本発明におけるリーダーズ・ボード表示のための事前情報の入力設定の一例を示す説明図である。
【図３】本発明におけるリーダーズ・ボードの表示のための各ホールごとの情報の入力画面の一例を示す説明図である。
【図４】本発明におけるリーダーズ・ボードの表示形式の例を示す説明図である。
【図５】本発明でリーダーズ・ボードを表示するための処理フローの一例である。
【発明を実施するための形態】
【０００８】［システム構成］
本発明におけるシステムのハードウエアの構成の一例を図１に示した。サーバ１上のホームページにネットワークを介して携帯もしくは移動端末２１〜２３がアクセスする。図１では端末を３台としたが、特に台数に制限はない。端末は、携帯電話、ノートパソコンをはじめとする移動もしくは携帯可能な端末である。該端末は入出力と表示が可能であればよい。以下に携帯電話を移動端末の例として説明するが、たとえばゴルフカートに取り付けた専用端末などであってもよい。また、試合に出ていない人が結果だけを見たいような場合は移動できる端末でなくてもパソコンなどからアクセスできる。
【０００９】［事前入力］
まず、ホームページにアクセスして、会員登録を行った端末が入出力可能となる。このときに試合の主催者の端末などから、他の会員登録した端末に招待メールを出して返信させるなどの方法で、その試合でアクセスできる端末（図１の２１〜２３）の関連付けを行っておく。
さらに図２に示すような試合の日付、コース名、コースの情報（ホールごとのパーの数など）を入力する（図２の画面３）。このような情報は適宜ゴルフ場のホームページなどとリンクして入力することも考えられる。
さらにコンペに参加しているメンバー名を組ごとに登録しておく。これは各人で行ってもよいし、まとめて１つの端末で行ってもよい。図２にはｎ組までの入力の例を示した（４１〜４ｎ）。
【００１０】［データ入力］
次に試合中、各ホールでの成績を、携帯電話２１〜２３を使って入力する（図３の画面５、６）。これは、各プレーヤーがそれぞれ行ってもよいし、組ごとにまとめて行ってもよい。重複して入力された情報が整合しない場合などはサーバ上でチェックして修正画面で修正する（画面７）。
【００１１】［リーダーズ・ボード］
本発明におけるリーダーズ・ボードとは、少なくともプレーヤー名、プレイしているホールナンバー、パーに対する各プレーヤーの打数のプラスまたはマイナスの数が成績として示されるものであり、いくつかの例を図６に示した。ハンディキャップ入力をすることによりこれを反映した計算結果の表示も行える。同じゴルフコンペに参加している人がどのホールをどのような成績でまわっているかが一覧で示されるもので、図６では画面８で選択する。順位によってソートした例（画面９１）、組ごとに順番に表示してもよい。組ごとに表示する例（画面９２）、競技者ごとに示す例（画面９３）を示した。
このように画面を表示するための処理フローの一例を図５に示した。上記のようにホームページにアクセスして会員登録した後、ゴルフ場についての基本情報とメンバーの情報を入力する。これをチェックして整合すれば各ホールでスコア入力を行い、必要に応じ修正入力を要求され、修正する。これに対し、スコア表示を要求すれば、リーダーズ・ボードの形に編集したスコアが表示される。
事前の関連付けで指定した端末は、でホームページにアクセスすると、入力された成績をもとに作成したリーダーズ・ボードを見ることができる。なお、本発明においては、コンペに参加していない人もリーダーズ・ボードを見ることができるのが特徴のひとつである。アクセスできる人については初期設定などでコントロールする必要があるが、たとえばコンペに参加できなかった人が携帯電話で試合の様子を自宅で見ることができる。
【００１２】  さらに、サーバ上には会員登録したメンバーの各試合でのスコアが蓄積されるので、試合後に蓄積された情報を管理、加工して表示させるサービスも可能である。
【符号の説明】
【００１３】１  サーバ
２１〜２３  端末
３、４１〜４ｎ  初期入力画面
５〜７  スコア入力画面
８、９１，９２，９３  リーダーズ・ボード表示画面
【図１】
2012061282.tif 000003
【図２】
2012061282.tif 000004
【図３】
2012061282.tif 000005
【図４】
2012061282.tif 000006
【図５】
2012061282.tif 000007